(57)【要約】本発明は、第１電極（２）と第２電極（３）との間に挟まれた電界発光材料層（５）を有し且つ第１発光要素（６Ｒ）と第２発光要素（６Ｇ）を有する少なくとも１つの画素（６）を有する有機電界発光素子（１）における色補正のための方法に関し、前記方法は、前記発光要素により表示される情報を有するデータ信号（Ｓ）を入力する段階と、接続手段において各々の発光要素のために補正係数を生成する段階であって、前記補正係数は、所定電圧（ＶＳ）において前記発光要素（６Ｒ、６Ｇ）の少なくとも１つを流れる電流と所定の電流（ＩＳ）における前記発光要素（６Ｒ、６Ｇ）の少なくとも１つの両端の電圧の１つにおける測定されたシフトと色点の波長シフト（Δλ）との間の関係に基づく、段階と、前記データ信号（Ｓ）に前記補正係数を適用する段階と、発光要素に補正されたデータ信号を供給する段階と、を有する。本発明はまた、前記方法を実行する駆動手段に関する。
2005501273.tif 000002
【特許請求の範囲】
【請求項１】
第１電極と第２電極との間に挟まれた電界発光材料層を有する少なくとも１つの画素を有する有機電界発光素子における色補正のための方法であって、前記画素は第１発光要素と第２発光要素を有する、方法であり：
前記発光要素により表示される情報を有するデータ信号を入力する段階；
各々の発光要素のために補正係数を生成する段階であって、前記補正係数は、
（ｉ）前記発光要素を流れる所定電流において発光要素の両端の電圧における測定されたシフトと、前記電圧における前記測定されたシフトと前記発光要素の色点の波長シフトΔλと、の間の関係、または
（ｉｉ）前記発光要素の両端の所定電圧において発光要素を流れる電流における測定されたシフトと、前記電流における前記測定されたシフトと前記発光要素の色点の波長シフトΔλと、の間の関係、
に基づく、段階；
前記データ信号に前記補正係数を適用する段階；並びに
前記発光要素に前記補正されたデータ信号を供給する段階；
を有することを特徴とする方法。
【請求項２】
請求項１に記載の方法であって、前記補正手段は、発光要素の両端に印加される電圧または前記発光要素を通って流れる電流と前記発光要素の前記波長シフトΔλとの間の前記関係に関する前測定された情報を有するルックアップテーブルを有する、ことを特徴とする方法。
【請求項３】
請求項１に記載の方法であって：
所定の時間インターバルを伴って、前記発光要素の１つに前記所定電流を供給する段階；
前記所定電流が前記発光要素を通って供給されるとき、前記発光要素において電圧を測定する段階；
前記測定された電圧と前記所定電流のための前の電圧との間の電圧シフトを計算する段階；並びに
前記電圧シフトΔＶに基づいて、前記発光要素の波長シフトΔλに対応する補正係数を出力する段階；
をさらに有する、ことを特徴とする方法。
【請求項４】
請求項３に記載の方法であって、発光要素のための前記波長シフトは、次式
Δλ＝ｋ・ΔＶ
により計算され、ここで、ｋは補正係数であって、ｋは各々の発光要素のためにまたは各々のタイプの発光要素のために前記憶される、ことを特徴とする方法。
【請求項５】
請求項３に記載の方法であって、前記前の電圧は、前記素子の駆動の間に測定される前記発光要素の両端の初期電圧である、ことを特徴とする方法。
【請求項６】
請求項３に記載の方法であって、前記前の電圧は、前記素子の駆動の間に予め測定される前記発光要素の両端の電圧である、ことを特徴とする方法。
【請求項７】
請求項１に記載の方法であって：
所定の時間インターバルを伴って、前記発光要素の１つに所定電圧を供給する段階；
前記所定電圧が前記発光要素の両端に印加されるとき、前記発光要素を流れる電流を測定する段階；
前記測定された電流と前の電流との間の電流シフトΔＩを計算する段階；並びに
前記電流シフトΔＩに基づいて、前記発光要素の波長シフトΔλに対応する補正係数を出力する段階；
を有する、ことを特徴とする方法。
【請求項８】
請求項７に記載の方法であって、前記発光要素のための前記波長シフトΔλは、次式
Δλ＝ｋ・ΔＩ
により計算され、ここで、ｋは補正係数であって、ｋは各々の発光要素のためにまたは各々のタイプの発光要素のために前記憶される、ことを特徴とする方法。
【請求項９】
請求項１に記載の方法であって、前記発光電界材料層は、高分子発光材料、有機発光材料または高分子発光材料と有機発光材料との混合物を有する、ことを特徴とする方法。
【請求項１０】
請求項１に記載の方法であって、前記補正係数は、各々の前記発光要素からの光出力に基づいて、前記画素に実質的に一定の全体的な色点を提供するために配列される、ことを特徴とする方法。
【請求項１１】
有機電界発光素子のための駆動手段であって、第１電極パターンと第２電極パターンとの間に挟まれる電界発光材料の層を有し、前記パターンは少なくとも第１発光要素と第２発光要素を有する少なくとも１つの画素を規定し、前記駆動手段は前記材料からの発光を得るために前記電界発光材料を流れる電流を流すために配列され且つ前記電極に接続される駆動手段であり：
各々の前記発光要素により表示される情報を有するデータ信号を入力するための入力接続；
前記データ信号に補正係数を適用するための補正手段であって、前記補正係数は、この発光要素を流れる電流と少なくとも１つの前記発光要素の両端の電圧の１つにおいて測定されたシフトと色点シフトとの間の関係に基づいている、補正手段；並びに
前記発光要素に前記色補正されたデータ信号を出力するための出力手段；
を有することを特徴とする駆動手段。
【発明の詳細な説明】
【技術分野】
【０００１】
本発明は、少なくとも１つの画素を有する有機電界発光素子における色補正のための方法であって、第１電極と第２電極との間に挟まれた電界発光材料層を有し、画素は第１発光要素と第２発光要素とから成る、方法に関する。
【０００２】
本発明はまた、第１電極パターンと第２電極パターンとの間に挟まれた電界発光材料の層から構成される有機電界発光素子のための駆動手段であって、前記パターンは少なくとも１つの画素を規定し、各々の画素は少なくとも第１発光要素と第２発光要素とから構成され、前記駆動手段は前記電界発光材料からの発光を実現するために前記第１電極および第２電極に接続され且つ前記電界発光材料に電力を加える、駆動手段に関する。
【背景技術】
【０００３】
高分子発光ダイオード（高分子ＬＥＤまたはＰＬＥＤ）または有機発光ダイオード（ＯＬＥＤ）のような有機電界発光ダイオードの技術は、高分子のような特定の有機材料が発光ダイオードにおける半導体として用いられることが可能である事実に基づく、かなり最近発見された技術である。この技術は、例えば、材料としての高分子が、軽量で、曲がり易く、製造するのに安価であるという事実のために、非常に興味深い。従って、高分子ＬＥＤおよびＯＬＥＤは、例えば電子新聞のような利用に対する薄くて非常に曲げることが可能な表示装置を創り出す機会を提供する。さらに、このような表示装置の応用は、例えば、携帯電話のための表示装置である。
【０００４】
上記の表示装置は、ＬＣＤ表示装置のような競合する技術に匹敵するような複数の優位性のある特徴を有している。先ず第一に、有機電界発光素子は光の生成において非常に効率が高く、発光効率は、ＬＣＤ表示装置より高分子ＬＥＤの方が３倍以上大きいことが可能である。結果として、高分子ＬＥＤ発光素子は、同じバッテリにおいて、３倍長く動作することが可能である。さらに、有機電界発光装置は、コントラストおよび輝度に関して利点を有している。例えば、高分子ＬＥＤ表示装置は、光が同じ強度であらゆる方向に透過されるため、視野角に依存しない。
【０００５】
しかしながら、今日、有機電界発光素子技術は、この技術を用いるフルカラー表示装置がオプションとして実際に考慮されるポイントまで向上してきた。カラーを得るために、幾つかの方法を用いることが可能である。
【０００６】
１つの簡単な方法は、例えば、ＴＦＴ−ＬＣＤ表示装置の場合に、カラーフィルターを組み合わせた白色光を用いて、三原色を生成することによる。しかしながら、この方法の大きな不利点は、カラーフィルターを用いることは複雑さを増してセルのコストを上昇させ、さらに、白色光源から透過する利用可能なスペクトルの２／３はカラーフィルターにより吸収され、この方法をエネルギー的に全く非効率なものとしている。
【０００７】
しかしながら、有機電界発光素子に対してカラーを生成するための他の可能な方法は、ＣＩＥ色座標の値ｘおよびｙが赤、緑および青についての要求される色点と一致するようなやり方で、基本的な発光材料を調整することである。これは、母材においてドーパントを調整することにより、ＯＬＥＤ素子のような低分子量素子に対してなされることが可能である。ＰＬＥＤのような高分子を用いる応用に対しては、高分子材料の主鎖成分および側鎖成分を変更することによりスペクトルの変化を達成することが可能である。高分子材料にドーパントを添加することがまた可能である。発行高分子材料は赤（Ｒ）、緑（Ｇ）および青（Ｂ）の三原色のために利用可能であるという事実のため、カラー表示装置は、複数の画素を含む画素のアレイ構造において適切な位置にＲ、ＧおよびＢの材料を用いることにより簡単に得られることが可能である。
【０００８】
しかしながら、カラーを生成するための上記方法には大きな問題点がある。この問題点は、実際のアプリケーションにおける前記ｘおよびｙのＣＩＥ色座標は、画素が駆動される総時間に依存するという事実による。この影響は、カラーに拘わらず、全ての有機発光材料に対して本質的に存在している。表示装置の寿命の間に、電界発光材料の発光スペクトルであって、それ故、ＣＩＥ色点は、時間と共にシフトする。従って、Ｒ、ＧおよびＢの色点について正確且つ特定のＣＩＥ色座標値が得られるように多くの努力が払われたとしても、それらの色点は、画素が特定の時間駆動された途端に変化することとなる。さらに、全ての画素は等しい時間の長さだけ駆動されることはないため、上記の“エージング”プロセスは表示装置の異なる画素に対して異なることとなる。さらに、このことは、全てのカラーは同じ時間だけ駆動されず、各々のカラーは似てはいるものの同一のスペクトル劣化挙動を示す訳ではないため、フルカラーのアプリケーションに対して極めて重要である。
【０００９】
この問題を解決するための１つの方法について、国際公開第９９４５５２５号パンフレットに記載されている。その記載されている構成は、３種類の単色電界発光ダイオード（Ｒ、Ｇ、Ｂ）を有する画素のマトリクスに関するものである。ダイオードは各々のダイオードに電力Ｐを供給する回路により制御され、このとき、電力はＰ＝ｋ＊Ｐｒであって、Ｐｒは各々のカラーのダイオードに特有の基準電力であり、ｋは提供される表示装置に従って選択される係数である。さらに、時間が経過するにつれて、基準電力は、ダイオードのエージングを補償するために変化される必要がある。しかしながら、このシステムは、表示装置の各々のダイオードがオンの状態にある総時間は記憶装置に記憶されなければならず、達成される補償はこの情報に依存するという点で、主な不利点を有している。それ故、このシステムは大きな記憶空間を必要とし、それは現実化するには幾分現実的ではない。さらに、このシステムは、前記総時間を追跡し続けるために、連続してアクティブにされる必要がある。
【発明の開示】
【課題を解決するための手段】
【００１０】
それ故、本発明の目的は、上記問題点を軽減する著しく改善された方法および素子を提供することである。本発明は独立請求項により規定される。従属請求項は好適な実施形態を規定する。
【００１１】
これらのおよび他の目的は、冒頭の段落に記載した方法であって、補正手段において各々の発光要素に対する補正係数を生成する前記発光要素により表示される情報を有するデータ信号を入力する段階を有する方法であり、前記補正係数は：
（ｉ）前記発光要素を流れる所定電流において発光要素の両端の電圧における測定されたシフトと、前記電圧における測定されたシフトと前記発光要素の色点の波長シフトΔλと、の間の関係、または
（ｉｉ）前記発光要素の両端の所定電圧において発光要素を流れる電流における測定されたシフトと、前記電流における測定されたシフトと前記発光要素の色点の波長シフトΔλと、の間の関係、
に基づき、前記データ信号に適用するために前記補正係数を前記補正手段から出力する、方法である。この方法は、適切な方法で別個の発光要素を流れる電流または別個の発光要素の両端の電圧を調節することにより全体的な色点が調節されるため、素子の駆動の間の任意の時間に、色補正を容易に得ることが可能である点で、優位性がある。さらに、表示素子の両端の電圧および表示素子を流れる電流は容易に測定でき、その結果、実行することが容易でありコストパフォーマンスの良好な方法が得られる。
【００１２】
必要に応じて、前記補正係数は、画素の２つ以上の発光要素であって、好適には画素の各々の発光要素において実行される測定に基づくことが可能である。電圧または電流における測定シフトと色点との間の関係は異なる発光要素に対して異なることが可能である。
【００１３】
好適には、前記補正手段は、発光要素の両端の電圧、前記発光要素を通って流される電流および前記発光要素のもたらされた波長シフトに関する前測定された関連情報を含むルックアップテーブルを有する。ルックアップテーブルにおいて、統合されることが可能であり、必ずしも明確に表現されていない、そのような情報を記憶することにより、この情報に容易にアクセスすることができる。
【００１４】
好適な実施形態において、本発明は、所定の時間インターバルを伴って、前記発光要素の１つに前記所定電流を供給する段階と、電流が発光要素を通って供給されるとき、発光要素の両端の電圧が測定される段階と、前記測定された電圧と対応する電流に対する前の電圧との間の電圧シフトを計算する段階と、前記補正手段に前記電圧シフトを入力する段階と、前記電圧シフトに基づいて、前記発光要素の波長シフトΔλに対応する補正係数を前記補正手段から出力する段階と、を有する。この方法は、測定された電流が素子を通って流されるとき、素子の両端の電圧を測定することのみにより簡単に補正することが可能である。好適には、発光要素についての波長シフト（Δλ）は、次式
Δλ＝ｋ・ΔＶ
により計算され、ここで、Δλは得られた波長シフト、ｋは補正係数、ΔＶは電圧シフトであって、ｋは、各々の発光要素または各々のタイプの発光要素に対して前記補正手段に前記憶された値である。補正係数は、一定であるか或いは素子の両端の電圧および／または素子を流れる電流の関数、すなわち、ｋ＝ｋ（Ｖ，Ｉ）のどちらかとすることが可能である。電圧シフトと波長シフトとの間の線形関係を有する、そのような有機電界発光材料を用いることにより、実際には、補正係数のみが記憶される必要があるため、非常に小さいルックアップテーブルを用いることが可能である。これは、そのようなテーブルが殆ど記憶空間を必要とせず、容易に達成可能であるため、優位性がある。さらに、同じタイプの発光要素に対して、同じ補正係数ｋを用いることができる。“同じタイプの発光要素”は、発光要素が発光層において同じ組成と寸法を有し、第１電極と第２電極において同じ組成と寸法を有することを意味するとして理解される。例えば、赤の発光要素、緑の発光要素および青の発光要素を有するフルカラーのマトリクス型表示装置について、１つのカラー（赤、緑または青）の発光要素全てが同じタイプである場合、記憶されるために、３つの補正係数のみが必要である。
【００１５】
この実施形態の変形に従うと、前記前の電圧は、素子が製造される間に測定された前記発光要素の両端の初期電圧である。全ての測定された値は同じ前記憶された値と比較され、その結果、安定なシステムが得られる。この実施形態の他の変形に従うと、前記前の電圧は、素子の駆動の間に先立って測定された前記発光要素の両端の電圧であり、その結果、初期の較正を必要としない素子が得られる。
【００１６】
本発明の第２実施形態に従って、本発明は、所定の時間インターバルを伴って、前記発光要素の１つに所定の電圧を供給する段階と、発光要素の両端に電圧が印加されるとき、前記発光要素を流れる電流を測定する段階と、前記測定された電流と前の電流との間の電流シフトを計算する段階と、前記電流シフトに基づいて、前記発光要素の波長シフトΔλに対応する補正係数を前記補正手段から出力する段階と、を有する。この方法はまた、所定の電圧が素子の両端に印加されるとき、素子を流れる電流を測定することのみにより簡単に補正することが可能である。好適には、発光要素についての波長シフトは、次式
Δλ＝ｋ・ΔＩ
により計算され、ここで、Δλは得られた波長シフト、ｋは補正係数、ΔＩは電流シフトであって、ｋは、各々の発光要素または各々のタイプの発光要素に対して前記補正手段に前記憶された値である。補正係数は、一定であるか或いは素子の両端の電圧および／または素子を流れる電流の関数、すなわち、ｋ＝ｋ（Ｖ，Ｉ）のどちらかとすることが可能である。電圧シフトと波長シフトとの間の線形関係を有する、そのような有機電界発光材料を用いることにより、実際には、補正係数のみが記憶される必要があるため、非常に小さいルックアップテーブルを用いることが可能である。これは、そのようなテーブルが殆ど記憶空間を必要とせず、容易に達成可能であるため、優位性がある。さらに、同じタイプの発光要素に対して、同じ補正係数ｋを用いることができる。“同じタイプの発光要素”は、発光要素が発光層において同じ組成と寸法を有し、第１電極と第２電極において同じ組成と寸法を有することを意味するとして理解される。例えば、赤の発光要素、緑の発光要素および青の発光要素を有するフルカラーのマトリクス型表示装置について、１つのカラー（赤、緑または青）の発光要素全てが同じタイプである場合、記憶されるために、３つの補正係数のみが必要である。
【００１７】
この実施形態の変形に従うと、前記前の電流は、素子が製造される間に測定された前記発光要素を流れる初期電流である。全ての測定された値は同じ前記憶された値と比較され、その結果、安定なシステムが得られる。この実施形態の他の変形に従うと、前記前の電流は、素子の駆動の間に先立って測定された前記発光要素を流れる電流であり、その結果、初期の較正を必要としない素子が得られる。
【００１８】
好適には、前記電界発光材料は、優位性のある特性を備え、よくテストされた材料である、高分子発光材料および有機発光材料の１つである。さらに、本発明の好適な実施形態において、前記少なくとも１つの画素は、例えば、赤、緑および青の発光要素を有する従来のフルカラー表示装置を生成するために、前記画素から異なるカラーの発光に対して前記画素のサブ画素を有する３つまたはそれ以上の発光要素を有する。さらに、前記補正係数は、各々の前記発光要素からの光出力に基づいて、画素について一定の全体的な色点を提供するために配置される。“画素についての一定の全体的な色点”は、発光要素の個々の色点が前記発光要素の材料のエージングのために時間とともに変化するが、全体的な画素の光出力はデータ信号により規定されるような所望の色点に対応する、という意味であるとして理解される。表示装置の材料のエージングに依存しない、一定のカラー表示挙動を有する表示装置を提供することができる。
【００１９】
本発明の目的はまた、冒頭の段落において説明したように、駆動手段により達成され、前記駆動手段は、各々の前記発光要素により表示される情報を有するデータ信号を入力するための入力接続と、前記データ信号に補正係数を適用するための補正手段であって、前記補正係数は、この発光要素を流れる電流と少なくとも１つの前記発光要素の両端の電圧の１つにおいて測定されたシフトと色点シフトとの間の関係に基づいている、補正手段と、前記発光要素に前記色補正されたデータ信号を出力するための出力手段と、を有する。この素子は、色補正が、素子の駆動の間のいずれかの時間において、容易に得られることが可能である点で、優位性がある。さらに、表示装置の両端の電圧および表示装置に流れる電流を容易に測定でき、その結果、実行することが容易であり、コストパフォーマンスのよい方法が得られる。好適には、前記補正手段は、発光要素の両端に印かされる電圧、この発光要素を通って流れる電流およびこの発光要素のもたらされた波長シフトに関する前測定された関連情報を有する。ルックアップテーブルにおいて、統合されることが可能であり、必ずしも明確に表現されていない、そのような情報を記憶することにより、この情報に容易にアクセスすることができる。さらに、前記補正係数は、各々の前記発光要素からの光出力に基づいて、画素に対する実質的に一定の全体的な色点を提供するために配置される。表示装置の材料のエージングに依存しない、実質的に一定のカラー表示挙動を有する表示装置を提供することができる。
【００２０】
これらのおよび他の本発明の側面は、以下に説明する本発明の実施形態を参照して説明することにより理解されるであろう。
【発明を実施するための最良の形態】
【００２１】
図２は、本発明に従った方法および素子を用いることが可能である電界発光表示装置を示す図である。
【００２２】
電界発光表示装置１の基本的な素子構造は、光を透過することができるようにＩＴＯのような一般に透明材料の第１電極２すなわち陽極、第２電極３すなわち陰極および陽極２と陰極３との間に挟まれる発光層５を有する。図２に示す表示装置の例においては、導電性高分子層（例えば、ＰＥＤＯＴ）のようなもう１つの導電性層４が前記陰極２と発光層５との間に挟まれている。より少ないまたはより多い有機物層を有する他の層構造はまた可能である。前記発光層５は、例えば、高分子ＬＥＤ表示装置に対しては高分子発光材料層とすることが可能であり、ＯＬＥＤ表示装置に対しては有機発光材料層とすることが可能である。
【００２３】
動作の間に、電流は、発光する前記電界発光の発光層５における材料を駆動するために、電界発光の発光層５を通って、前記陽極と前記陰極との間を流される。
【００２４】
図２に示した表示装置の例は、電極２、３により規定される発光ダイオード（ＬＥＤ）と、また、呼ばれる画素６のアレイ、および中間挿入発光層５を有する。フルカラーのアプリケーションのために、各々の画素は、赤、緑および青の光の発光のために電界発光材料を有する３つのサブ画素または発光要素６Ｒ、６Ｇ、６Ｂに、それぞれさらにサブ分割される。例えば、印刷技術により基板上に画素／サブ画素パターンを形成することが可能である。
【００２５】
さらに、駆動手段７は、前記表示装置１を駆動するために、前記電極２、３に接続される。上記の画素／サブ画素素子のために、駆動手段ユニットが、３種類のサブ画素６Ｒ、６Ｇ、６Ｂを含む各々の画素６について配列される。
【００２６】
前記駆動手段７は、画像ジェネレータ（図示せず）からデータ信号Ｓを受信するための入力手段８を有する。前記の場合、受信されるデータ信号Ｓは、前記サブ画素（６Ｒ、６Ｇ、６Ｂ）を適切に駆動することによる、前記画素６により表示される所望のカラーまたは色点に関する情報を有する。Ｒ、ＧおよびＢの高分子化合物（すなわち、赤、緑または青の発光高分子化合物）の発光により規定される角を有する色三角形内のいずれかのカラーは、Ｒ、ＧおよびＢ発光ベクトルの一次結合、すなわち発光している赤、緑および青のサブ画素の組み合わせにより得ることができる。さらに、各々の色点は、ＣＩＥ色度図における一組の２つの座標ｘおよびｙにより表されることが可能である。前記駆動手段７は、特定の画素に対して所望のカラーを生成するように各々のサブ画素のための駆動情報に前記色点情報を変換する信号処理手段１１を有することが可能である。しかしながら、この情報の分割はまた、入力データ信号Ｓに含まれることが可能である。それ故、駆動情報は、出力接続９により表示装置の各々の発光サブ画素に適用される。
【００２７】
しかしながら、上記のように、前記色点は変化し、この変化は特定の画素またはサブ画素の総駆動時間に依存する事実のために、表示装置の全体的な寿命の間、正しい色バランスを維持するには、既存の表示装置には問題点がある。
【００２８】
本発明により提案するように、上記の駆動手段は、ルックアップテーブルのような補正テーブルを記憶するためおよびデータ信号Ｓ´のための補正係数を生成するための補正手段１０をさらに有する。
【００２９】
本発明は、上記表示装置のような有機電界発光表示装置の寿命の間の電圧（または、電流）変化と、画素またはサブ画素が所定電流（または、電圧）により駆動されるときの表示素子の寿命の間の発光スペクトルシフトとの間にはある関係があるという認識に基づいている。電界発光材料を流れる特定の電流のために図１ａに示すことが可能であるように、電圧Ｖと表示装置のスペクトルのシフトΔλとの両方は、画素の総駆動時間ｔに略指数関数的に依存する。図１ｂに示すように、このような電圧シフトΔＶとスペクトルシフトΔλとの間の略指数関数的関係を得ることが可能である。この線形関係は、ラインＬＦにより示され、線形近似となっている。それ故、表示装置の両端の電圧または表示装置を流れる電流の１つを測定することにより、他方が一定値を保つ間に、波長シフトが得られることが可能である。それ故、エージングが電流と電圧との間の相互関係を変えるために、表示装置のエージングを補正するように、色点補正係数は、表示装置に加えられるデータ信号に適用されることが可能である。さらに、そのような色補正は、下に述べるように、電子的に扱われることが可能である。
【００３０】
表示装置を駆動するとき、上記の表示素子は２つの異なる方法で色補正されることが可能である。
【００３１】
本発明の第１実施形態に従って、図２に示すように、データ信号Ｓは、入力手段８により駆動手段７に入力される。データ信号Ｓは、前記表示素子に画像を表示するために、出力手段９により、信号処理手段１１に、また、表示装置のそれぞれの画素／サブ画素に供給される。
【００３２】
表示素子を製造するとき、サブ画素の両端の電圧Ｖ０がサブ画素を流れる選択された電流ＩＳに対して測定される“初期化”がなされる。それ以後、Ｖ０とＩＳの値は、素子における記憶装置に記憶されることが可能である。これは、画素の各々のサブ画素に対してなされる。さらに、素子に用いられる各々の材料に対して、図１ｂにおいて示すような補正曲線が、図１ａに示すような所定の一定電流に対して時間の関数として波長シフト／電圧変化の測定を行うことにより生成される。この測定および補正曲線の生成は、各々の材料に対して、一回のみなされることが必要であり、この補正曲線は材料特有のものである。図１ｂに示すように、そして前記のように、殆どの材料に対して、電圧シフトΔＶと波長シフトとの間の関係は線形である。図１ｂから理解できるように、次の関係が得られた。
Δλ＝ｋ・ΔＶ
ここで、Δλは得られた波長シフト、ｋは補正係数およびΔＶは電圧シフトである。この実施形態においては、図１ｂから明らかであるように、ｋは実質的に材料の定数である。しかしながら、補正係数はまた、表示素子の両端の電圧および／または表示素子を流れる電流の関数、すなわち、ｋ＝ｋ（Ｖ，Ｉ）であることが可能である。
【００３３】
傾きの値、または前記曲線の補正係数を記憶することは十分であるため、ルックアップテーブルに記憶するために最小の記憶領域を用いることが可能である。値Ｖ０は、図１ｂに示すような補正曲線におけるΔＶ＝０に一致する。
【００３４】
１時間のような所定の時間インターバルを用いて、または表示が開始するときはいつでも、対応する電流ＩＳは表示装置を通って供給され、表示装置の両端の電圧Ｖは電圧計により測定される。測定された電圧Ｖの値は、この後、表示装置を流れるその特定の電流のための初期の電圧値Ｖ０と比較される。この電圧シフトΔＶは、次式により得られる。
ΔＶ＝｜Ｖ−Ｖ０｜
ΔＶが既知のとき、Δλは前記ルックアップテーブルに記憶された補正係数を適用することにより容易に得られることが可能である。その後、データ信号Ｓが表示装置に供給される前に、適切な補正係数がデータ信号Ｓに適用されることが可能であり、画素の全体的な色点が変化されないように、画素のサブ画素の両端の電圧／その画素を流れる電流を調節することにより、色補正の効果がもたらされる。サブ画素の色点が変化する場合、同じ画素の他のサブ画素の両端の電圧／そのサブ画素を流れる電流をまた調節することが必要となり得る。
【００３５】
本発明の第２実施形態に従って、“初期化”が、測定された電圧値ＶＳに対して電流Ｉ０を測定することによりなされる。対応する補正曲線は、図１ｂに示すように、電流シフトと波長シフトとの間の関係のために生成されることが可能である。この値Ｉ０は、補正極性においてはΔＩ＝０に対応する。
【００３６】
１時間のような所定の時間インターバルを用いて、または、表示が開始するときはいつでも、対応する値ＶＳが表示装置に適用され、表示装置を流れる電流Ｉは電流計により測定される。この後、測定された電流値Ｉは、この後、表示装置の両端のその特定の電圧のための初期の電流値Ｉ０と比較される。電流シフトΔＩは次式により得られる。
ΔＩ＝｜Ｉ−Ｉ０｜
ΔＩが既知のとき、Δλは前記ルックアップテーブルに記憶された補正係数を適用することにより容易に得られることが可能である。その後、データ信号Ｓが表示装置に供給される前に、適切な補正係数がデータ信号Ｓに適用されることが可能であり、色補正の効果がもたらされる。
【００３７】
上記の２つの実施形態に対して、初期の値に測定される電圧値／電流値に関連させることに代えて、同じパラメータの予め測定された値に電圧値／電流値を関連させることがまた可能である。ここで、予め測定された電圧値／電流値を記憶するためのもう１つの記憶装置が必要とされる。これは、例えば、フレーム毎に１回なされることが可能である。
【００３８】
さらに、電圧／電流シフトと波長との間に線形関係を有しない材料を用いることが可能である。しかしながら、この場合、複数のシフト値に対する補正係数を提供するために、大きいルックアップテーブルが必要とされる。
【００３９】
上記の方法を利用することにより、サブ画素からの発光波長を個別に調節することのために、表示装置の全体的な寿命の間に正しい色バランスを維持することが可能であり、これにより、画素の一定の全体的な色点を生成することが可能である。これは、画素における各々の発光要素の電圧／電流シフトを決定し且つ各々の発光要素のスペクトルシフトを決定するための手段から構成され、発光要素のスペクトルシフトを補正するために画素の赤、緑および青の発光要素のための駆動信号に補正係数を適用するための手段から構成される、本発明に従った駆動装置を表示装置に提供することにより実現される。
【００４０】
本発明は、上記の実施形態に限定されるように考えられるべきものではなく、同時提出の請求の範囲により規定される範囲により全ての可能な変形を網羅するものである。
【００４１】
本発明は表示素子に関し、さらに詳細には、フルカラーの表示装置に関して説明した。しかしながら、本発明は、単色表示素子、非グラフィック表示装置またはバックライトパネル等に用いられる有機電界発光ダイオードのような他の技術の素子に、同様に適用可能であることに留意する必要がある。
【００４２】
さらに、たとえ上記素子が高分子ＬＥＤ素子であるとしても、前記色補正方法は、有機ＬＥＤ（ＯＬＥＤ）素子のような他の有機電界発光素子に押し並べて適用することが可能である。
【００４３】
また、上記の所定の電圧Ｖ０および電流Ｉ０は異なるサブ画素に対して異なることが可能であることに留意する必要がある。さらに、上記の電圧測定モードにおいて、および上記の現時点の測定モードにおいて表示素子の一部を駆動することが可能である。
【００４４】
要約すると、本発明は、第１電極と第２電極との間に挟まれる電界発光材料層を有する少なくとも１つの画素を有する有機電界発光素子における色補正のための方法であって、画素は少なくとも第１発光要素と第２発光要素を有し、前記方法は：前記発光要素により表示される情報を有するデータ信号を入力する段階と、補正手段において各々の発光要素のための補正係数を生成する段階であって、前記補正係数は、特定の電圧（ＶＳ）において少なくとも１つの前記発光要素を流れる電流と特定の電流（ＩＳ）における少なくとも１つの前記発光要素の両端の電圧の１つにおける測定されたシフトと色点の波長シフトとの間の関係に基づいている、段階と、前記データ信号において適用される前記補正係数を前記補正手段から出力する段階と、を有する方法である。
【００４５】
本発明はまた、上記方法を実行する駆動手段に関する。
【００４６】
上記の実施形態は本発明を制限するものではなく、当業者は同時提出の請求の範囲から逸脱することなく多くの代わりとなる実施形態をデザインすることができるであろうことに、留意する必要がある。請求の範囲においては、括弧を用いて示すどの参照符号も請求項を制限するように意図されたものではない。単数形により表現された構成要素は、そのような構成要素の複数の存在を排除するものではない。本発明は、幾つかの別個の構成要素を有するハードウェアにより、および適切にプログラムされたコンピュータにより実行されることができる。幾つかの手段を列挙している装置請求項において、それらの手段の幾つかはハードウェアの１つおよび同じアイテムにおいて具現化されることができる。特定の手段が互いに異なる独立請求項に挙げられているという事実は、単に、それらの手段が有利になるように用いられることができないことを示してはいない。
【図面の簡単な説明】
【００４７】
【図１ａ】表示装置における一定であって所定の電流に対して、前記表示装置の総駆動時間の関数として電界発光表示装置の両端の電圧と波長シフトを示す代表的な図である。
【図１ｂ】前記電界発光表示装置における電圧シフトと波長シフトとの間の関係を示す代表的な図である。
【図２】本発明に従った方法および素子を用いることが可能である電界発光表示装置の一例を示す模式図である。
【国際公開パンフレット】
2005501273.tif 000003
2005501273.tif 000004
2005501273.tif 000005
2005501273.tif 000006
2005501273.tif 000007
2005501273.tif 000008
2005501273.tif 000009
2005501273.tif 000010
2005501273.tif 000011
2005501273.tif 000012
2005501273.tif 000013
2005501273.tif 000014
2005501273.tif 000015
2005501273.tif 000016
2005501273.tif 000017
2005501273.tif 000018
2005501273.tif 000019
2005501273.tif 000020
2005501273.tif 000021
【国際公開パンフレット（コレクトバージョン）】
2005501273.tif 000022
【国際調査報告】
2005501273.tif 000023
2005501273.tif 000024